(57)【要約】【目的】台所のキッチンシステムにおいて、加熱調理台，シンク等と、その周囲とを仕切るための仕切り板の外周に枠体が装着され、仕切り板の破損を防止し、安全性を確保すると共に外観をより一層良好にするため枠体付き仕切り板を提供すること。【構成】上方側角部が円弧状に形成された仕切り板７と、水平枠１と、垂直枠２と、円弧抱持枠部３と突出部４とからなる上部ジョイント部材Ａと、突出部６が相互に直角形成された下部ジョイント部材Ｂとからなること。水平枠１が仕切り板７の上下両側に配置され、垂直枠２が仕切り板７の左右両側に配置され、上方側の水平枠１と垂直枠２の上端とが上部ジョイント部材Ａで連結され、両垂直枠２の下端と、下方側の水平枠１の長手方向両端が下部ジョイント部材Ｂで連結されること。【選択図】    図１
2012125328.tif 000002
【特許請求の範囲】
【請求項１】
長方形状で且つ上方側角部が円弧状に形成された仕切り板と、断面門形状の抱持枠部と該抱持枠部の幅方向両端より形成された内周縁と長手方向両端に形成された被挿入開口部とからなる水平枠と、該水平枠と同一断面形状の抱持枠部と内周縁と長手方向両端に形成された被挿入開口部とからなる垂直枠と、前記水平枠及び前記垂直枠と同一断面形状で且つ前記仕切り板の角部の円弧領域を抱持する円弧抱持枠部と該円弧抱持枠部の円弧状の長手方向両端から相互に直角形成された突出部とからなる上部ジョイント部材と、該上部ジョイント部材と同一断面形状の突出部が相互に直角形成された下部ジョイント部材とからなり、前記水平枠が前記仕切り板の上下両側に配置され、前記垂直枠が前記仕切り板の左右両側に配置され、上方側の前記水平枠と前記垂直枠の上端のそれぞれの被挿入開口部に上部ジョイント枠のそれぞれの突出部が挿入され、前記両垂直枠の下端と、下方側の前記水平枠の長手方向両端のそれぞれの被挿入開口部に下部ジョイント部材のそれぞれの突出部が挿入されて連結されてなることを特徴とする枠体付き仕切り板。
【請求項２】
請求項１において、前記水平枠及び前記垂直枠のそれぞれの内周縁には、被挿入開口部付近に被係止部が形成され、前記上部ジョイント部材と前記下部ジョイント部材のそれぞれの突出部には、前記被係止部に係止する係止部が形成されてなることを特徴とする枠体付き仕切り板。
【請求項３】
請求項１において、前記水平枠及び前記垂直枠の被挿入開口部付に対して、前記上部ジョイント部材と前記下部ジョイント部材のそれぞれの突出入部は圧入により挿入固定されてなることを特徴とする枠体付き仕切り板。
【請求項４】
請求項１，２又は３のいずれか１項の記載において、前記下部ジョイント部材には前記上部ジョイント部材と同一形状となる円弧抱持枠部が形成されてなることを特徴とする枠体付き仕切り板。
【請求項５】
請求項１，２又は３のいずれか１項の記載において、２個の突出部のみから構成された前記下部ジョイント部材に対して、下方側の前記水平枠の長手方向両端と、前記垂直枠の下端側はそれぞれ外周側から内周側に向かって長手方向の長さが短くなるように４５度の傾斜端縁として形成されてなることを特徴とする枠体付き仕切り板。
【発明の詳細な説明】
【技術分野】
【０００１】
本発明は、台所のキッチンシステムにおいて、加熱調理台，シンク等と、その周囲とを仕切るための仕切り板の外周に装着し、仕切り板の破損を防止したり、又は人が仕切り板により怪我をすることを防止し、その安全性を確保すると共に外観をより一層良好にするための枠体が装着された枠体付き仕切り板に関する。
【背景技術】
【０００２】
キッチンでは、ガス，ＩＨ等の加熱調理台における調理作業時に油等が飛散し、またシンクでは食器洗い作業で、水が周囲に飛散し、周囲を汚してしまい、食後の清掃や、後片付けが増えることになる。特に、キッチンとダイニングが連続する部屋の構成では、調理及び食器洗い等の油，水の飛散がダイニング側に及び、フローリングやじゅうたん等を汚してしまうことになる。
【０００３】
そのために、キッチンの天板で前記加熱調理台及びシンクの付近には仕切り板とその支持部材から構成された衝立が設けられている。その衝立は、種々のものが出回っているが、たとえば特許文献１に開示されているように、衝立の仕切り板がガラス製の板で、該ガラス板の長手方向両側を２本のポール状の支持部材によって支持するタイプのものが多く使用されている。さらに、ガラス板による仕切り板は、直接、ポール状の支持部材に装着されることが多い。
【先行技術文献】
【特許文献】
【０００４】
【特許文献１】特開２０１０−１１９５３
【発明の概要】
【発明が解決しようとする課題】
【０００５】
特許文献１に開示されたものや、その他の同種の衝立装置では、仕切り板となるガラス板は、安全性を確保するために、或は特に損傷し易い角の部分を保護するため、その周縁が鋭利とならないように厚さ方向の角の部分に丸み（アール）が形成されている。さらに正面より見て長方形状の仕切り板では、外角部は円弧状に仕上げられている。しかし、仕切り板にこのような加工が施されることによって、人の安全性はある程度確保されるが、ガラス製の仕切り板の場合には外部から何らかの硬い物（食器，調理器具等）が衝突したときには、割れたしまったり、破損したりして、人に怪我を与え易い危険な状態となってしまうことがある。
【０００６】
このようなことを防止するために、仕切り板の外周に枠体を装着することが必要となっている。特に、仕切り板は、安全性と共に装飾品として良好な外観性も重視されるものであり、できるだけ仕切り板の外周形状に沿うものが好ましい。しかし、仕切り板の外周に、密着するように枠体を構成するものは、製造及び組付けが困難なこと等の理由から、従来ほとんど存在していなかった。
【０００７】
特に、長方形状の仕切り板の外周の角部（コーナー）を円弧状としたものでは、その仕切り板の角部に合わせて、枠体の一部も円弧状に形成されなくてはならない。しかし、枠体として使用する断面門形状の形鋼材等を長手方向に円弧状として成形することは、部分的にしわ等が生じて、良質に仕上げることは困難なものであった。そこで、本発明の目的（技術的課題）は、仕切り板の外周に略密着状で装着することができ、特に仕切り板の円弧状の角部（コーナー）に対して装着状態が良好である枠体を備えた枠体付き仕切り板を提供することにある。
【課題を解決するための手段】
【０００８】
そこで、発明者は、上記課題を解決すべく鋭意，研究を重ねた結果、請求項１の発明を、長方形状で且つ上方側角部が円弧状に形成された仕切り板と、断面門形状の抱持枠部と該抱持枠部の幅方向両端より形成された内周縁と長手方向両端に形成された被挿入開口部とからなる水平枠と、該水平枠と同一断面形状の抱持枠部と内周縁と長手方向両端に形成された被挿入開口部とからなる垂直枠と、前記水平枠及び前記垂直枠と同一断面形状で且つ前記仕切り板の角部の円弧領域を抱持する円弧抱持枠部と該円弧抱持枠部の円弧状の長手方向両端から相互に直角形成された突出部とからなる上部ジョイント部材と、該上部ジョイント部材と同一断面形状の突出部が相互に直角形成された下部ジョイント部材とからなり、前記水平枠が前記仕切り板の上下両側に配置され、前記垂直枠が前記仕切り板の左右両側に配置され、上方側の前記水平枠と前記垂直枠の上端のそれぞれの被挿入開口部に上部ジョイント枠のそれぞれの突出部が挿入され、前記両垂直枠の下端と、下方側の前記水平枠の長手方向両端のそれぞれの被挿入開口部に下部ジョイント部材のそれぞれの突出部が挿入されて連結されてなる枠体付き仕切り板としたことにより上記課題を解決した。
【０００９】
請求項２の発明を、請求項１において、前記水平枠及び前記垂直枠のそれぞれの内周縁には、被挿入開口部付近に被係止部が形成され、前記上部ジョイント部材と前記下部ジョイント部材のそれぞれの突出部には、前記被係止部に係止する係止部が形成されてなる枠体付き仕切り板としたことにより、上記課題を解決した。請求項３の発明を、請求項１において、前記水平枠及び前記垂直枠の被挿入開口部付に対して、前記上部ジョイント部材と前記下部ジョイント部材のそれぞれの突出入部は圧入により挿入固定されてなる枠体付き仕切り板としたことにより、上記課題を解決した。
【００１０】
請求項４の発明を、請求項１，２又は３のいずれか１項の記載において、前記下部ジョイント部材には前記上部ジョイント部材と同一形状となる円弧抱持枠部が形成されてなる枠体付き仕切り板としたことにより、上記課題を解決した。請求項５の発明を、請求項１，２又は３のいずれか１項の記載において、２個の突出部のみから構成された前記下部ジョイント部材に対して、下方側の前記水平枠の長手方向両端と、前記垂直枠の下端側はそれぞれ外周側から内周側に向かって長手方向の長さが短くなるように４５度の傾斜辺として形成されてなる枠体付き仕切り板としたことにより、上記課題を解決した。
【発明の効果】
【００１１】
請求項１の発明では、仕切り板の外周に略密着する状態で、無理なく枠体を組み付けて装着することができる。本発明において仕切り板の外周に装着するための枠体は、水平枠，上部ジョイント部材及び下部ジョイント部材の複数の部材から構成されたものである。そして、水平枠と垂直枠を仕切り板の上下の両水平方向外周と、左右の両垂直方向外周に沿って配置される。
【００１２】
さらに、仕切り板の円弧状角部では、円弧抱持枠部を有する上部ジョイント部材によって被覆しつつ、該上部ジョイント部材と下部ジョイント部材にて水平枠と垂直枠とが連結されることにより、仕切り板に無理なく極めて簡単に装着することができる。また、上部ジョイント部材の円弧抱持枠部は、水平枠部及び垂直枠部と断面形状と同一なものとしており、水平枠，垂直枠と上部ジョイント部材との継ぎ目箇所に段差が生じることなく、しかも上部ジョイント部材の円弧抱持枠部によって、仕切り板の上方側の両円弧状角部が被覆保護された状態で抱持され、良好な納まりとなるので、枠体の上方側の角部箇所も整然とした状態にすることができる。
【００１３】
請求項２の発明では、前記水平枠及び前記垂直枠のそれぞれの内周縁には、被挿入開口部付近に被係止部が形成され、前記上部ジョイント部材及び前記下部ジョイント部材のそれぞれの突出部には、前記被係止部に係止する係止部が形成されているので、それぞれの突出部をそれぞれの被挿入開口部に挿入するのみで、係止部と被係止部とが係止することができ、水平枠と垂直枠と上下のジョイント部材との連結固定が極めて容易にできる。
【００１４】
請求項３の発明では、前記水平枠及び前記垂直枠の被挿入開口部に対して、前記上部ジョイント部と前記下部ジョイント部のそれぞれの突出部は圧入により挿入固定される構成としたものである。これは、上下のジョイント部材の突出部における外形サイズを、水平枠及び垂直枠のそれぞれの被挿入開口部のサイズより僅かに大きくするのみで圧入による連結固定ができる構造とすることができる。これによって、それぞれの突出部を単にそれぞれの被係止部に挿入するのみ水平枠，垂直枠を上下のジョイント部材によって連結固定ができ、請求項２の発明と同様に、水平枠と垂直枠と上下のジョイント部材との固定を極めて容易にできる。
【００１５】
請求項４の発明では、前記下部ジョイント部には前記水平枠及び前記垂直枠と断面が同形同大の円弧抱持枠部が形成され突出部が形成されてなる枠体としたことにより、長方形の仕切り板の外周の４個の角部が全て円弧状に形成されたものに対し、枠体の装着を極めて好適なものにできる。請求項５の発明では、２個の突出部のみから構成され前記下部ジョイント部に対しては、下方側の前記水平枠の長手方向両端と、前記垂直枠の下端側はそれぞれ外周側から内周側に向かって凹むように４５度の傾斜角度となる傾斜端縁が形成されているので、仕切り板の下方側における垂直枠と水平枠との角部箇所を正確に直角となるように連結して、整然とした良好な外観に納めることができる。
【図面の簡単な説明】
【００１６】
【図１】（Ａ）は枠体付き仕切り板の正面図、（Ｂ）は仕切り板と枠体とを分離した状態図、（Ｃ）は（Ａ）の（ア）部の一部切除した拡大断面図、（Ｄ）は（Ｃ）のＸ1−Ｘ1矢視拡大図、（Ｅ）は（Ｃ）のＹ1−Ｙ1矢視拡大断面図である。
【図２】（Ａ）は上部ジョイント部材，水平枠，垂直枠の要部斜視図、（Ｂ）は上部ジョイント部材の縦断正面図、（Ｃ）は上部ジョイント部材の内周側より見た側面図、（Ｄ）は上方側の水平枠の底面図である。
【図３】（Ａ）は下部ジョイント部材と一部省略した水平枠の斜視図、（Ｂ）は下部ジョイント部材と一部省略した水平枠及び垂直枠の分解した断面図である。
【図４】（Ａ）乃至（Ｃ）は組み付行程図である。
【図５】（Ａ），（Ｂ）は別の実施形態の組み付行程図である。
【図６】（Ａ）は本発明における枠体付き仕切り板をホルダに装着した使用状態の斜視図、（Ｂ）は（Ａ）の（イ）部における一部断面にした拡大正面図、（Ｃ）は（Ｂ）のＹ2−Ｙ2矢視断面図、（Ｄ）は本発明において上部ジョイント部材と下部ジョイント部材とを同一構成とした実施形態の一部断面にした使用状態の正面図である。
【発明を実施するための形態】
【００１７】
以下、本発明の実施形態を図面に基づいて説明する。まず本発明では、システムキッチン又はテーブル等のエリアを仕切るための衝立を構成する枠体付き仕切り板として使用されるものである。たとえば、近年、キッチンルームとダイニングルームとがオープンに連続する部屋において、システムキッチンの設置位置を境界としたものが多くなっている。
【００１８】
このタイプのものでは、加熱調理台及びシンクでの使用にあたり、油が飛散したり、洗い水等が飛散しダイニングルームが汚れるおそれがあり、そこで、油・水等の周囲への飛散を防止する目的でキッチン用仕切り板がキッチン天板上に設けられるものである。その他に、キッチン関係の家具に装飾用としてガラスの衝立が設けられることもある。
【００１９】
仕切り板７は、ガラス板、又はアクリル等の合成樹脂板が使用される。仕切り板７は、化粧板であり、表面は良好な仕上げ加工等が施されることが多く、また仕切り板７は、透明であることが好ましいが、すりガラスが使用されることもある。このような点から、仕切り板７は、高級なガラス板が使用されることが多い。仕切り板７は、長方形又は正方形等の方形状であるが、主に長方形としたものが多い。また仕切り板７の上方側の両角部は、円弧状に形成された円弧領域であり、この角部（円弧領域）を円弧状角部７ａと称する〔図１（Ｂ）参照〕。本発明における枠体は、仕切り板７の外周に沿って装着されるものであり、仕切り板７の外周に略密着状に装着され、枠体を装着したことにより、全体の大きさがそれほど増加することがないようにしている〔図１（Ａ）参照〕。
【００２０】
枠体は、略長方形又は略正方形等の方形状であり、図１（Ａ）乃至（Ｃ）及び図２，図３に示すように、水平枠１，垂直枠２，上部ジョイント部材Ａ及び下部ジョイント部材Ｂから構成されている。水平枠１は、枠体を構成する上側と下側の２本用意され、垂直枠２は左側と右側の２本用意される。また、上部ジョイント部材Ａ及び下部ジョイント部材Ｂもそれぞれ２個用意される〔図１（Ｂ）参照〕。そして、上下２本の水平枠１と、左右２本の垂直枠２とが上部ジョイント部材Ａ及び下部ジョイント部材Ｂを介して連結され、長方形（又は正方形）の枠体が構成される〔図１（Ａ）参照〕。
【００２１】
水平枠１は、抱持枠部１１と、該抱持枠部１１の内周側で且つ幅方向両端より対向すると共に長手方向に沿って形成された平坦状の内周縁１２，１２と、長手方向両端に形成された被挿入開口部１３，１３とからなる〔図２（Ａ），（Ｄ）参照〕。抱持枠部１１は、長手方向に直交する断面が門形状であり、具体的には断面形状が「Π」字形状に形成されたり〔図１（Ｅ）、図２（Ａ）参照〕、或は特に図示しないが逆「Ｕ」字形状に形成されている。
【００２２】
詳述すると外周面１１ａの幅方向両端から直角に側面１１ｂ，１１ｂが形成される〔図２（Ａ）参照〕。前記外周面１１ａは、方形状の枠体を構成したときに、その外周となる部位であり、両側面１１ｂ，１１ｂとは枠体の側壁面を構成する部位である。抱持枠部１１の断面形状が「Π」字形状の場合には外周面１１ａは平坦状に形成されており、抱持枠部１１の断面形状が逆「Ｕ」字形状に形成されている場合には外周面１１ａは断面円弧状に形成される。
【００２３】
水平枠１の内周側とは、枠体を構成したときに、該枠体の内周に相当する側のことをいう。図２（Ｄ）の水平枠１は、内周側より見た図である。後述する垂直枠２，上部ジョイント部材Ａ及び下部ジョイント部材Ｂのそれぞれの内周側についても、同様に枠体を構成したときに、該枠体の内周に相当する側のことである。抱持枠部１１の内周側において、前記両側面１１ｂ，１１ｂの下端には直角となるように内周縁１２，１２が形成される〔図２（Ａ），（Ｄ）参照〕。
【００２４】
両内周縁１２，１２は、水平枠１の内周側に位置するもので平坦状に形成され、幅方向両端より対向すると共に長手方向に沿って形成される。両内周縁１２，１２の先端同士は所定間隔を有して離間しており、その離間間隔寸法は、仕切り板７又はガスケット８を挿入することが可能な寸法となっている〔図６（Ｃ）参照〕。被挿入開口部１３は、水平枠１の長手方向の両端に形成される開口であり、その開口形状は抱持枠部１１及び内周縁１２，１２によって構成される断面形状に等しい〔図２（Ａ），図３（Ａ）参照〕。
【００２５】
両内周縁１２，１２には、前記被挿入開口部１３近傍となる位置に被係止部１４，１４が形成されている。該被係止部１４は、内周縁１２の長手方向に直交する方向に向かって切欠き状に凹み形成されたものである〔図２（Ａ），（Ｄ）参照〕。係止部１４は、両内周縁１２，１２にそれぞれ形成されている〔図２（Ａ），（Ｄ）参照〕。下方側の水平枠１は、上方側の水平枠１と基本的に同一の構成であるが、後述するように下方側の水平枠１には、長手方向両端の側面１１ｂ，１１ｂに傾斜端縁１１ｃ，１１ｃが形成されている〔図１（Ｂ），図３参照〕。
【００２６】
垂直枠２は、前記水平枠１と同様に、抱持枠部２１と、内周縁２２，２２と、被挿入開口部２３，２３と、被係止部２４とから構成される。抱持枠部２１は、水平枠１の抱持枠部１１と同様に、外周面２１ａ，側面２１ｂ，２１ｂから形成される〔図１（Ｃ），図２（Ａ），図３参照〕。そして、垂直枠２の長手方向に直交する断面で且つ抱持枠部２１及び内周縁２２，２２によって構成される部位の断面形状は、水平枠１の抱持枠部１１と内周縁１２，１２とによって構成される断面形状と同一（同大，同形）である〔図２（Ａ）参照〕。垂直枠２の長手方向両端には被挿入開口部２３，２３が形成される。被挿入開口部２３は、垂直枠２の長手方向の両端に形成される開口であり、その開口形状は抱持枠部２１及び内周縁２２，２２によって構成される断面形状に等しく、この点についても水平枠１と同様である〔図２（Ａ）参照〕。
【００２７】
また、前記水平枠１と同様に、両内周縁２２，２２には、前記被挿入開口部２３近傍となる位置に被係止部２４が形成されている〔図２（Ａ），図３（Ｂ）参照〕。該被係止部２４は、内周縁２２の長手方向に直交する方向に向かって切欠き状に窪み形成されたものである。係止部２４は、両内周縁２２，２２にそれぞれ形成されている。すなわち、垂直枠２は、その断面形状及び構成が水平枠１と一部を除いて略同一のものである。水平枠１及び垂直枠２は、金属材が引き抜き加工により形成されるものであるが、前述した条件に一致するものであれば、形鋼材が使用されてもよい。
【００２８】
上部ジョイント部材Ａは、図２（Ａ），（Ｂ）に示すように、円弧抱持枠部３と、２個の突出部４，４とからなる。円弧抱持枠部３は、（１／４）円弧とした部位であり〔図１（Ｂ），（Ｃ），図２（Ａ），（Ｂ）参照〕、上方側の水平枠１と、垂直枠２の上端とを連結した状態で円弧状の角部（コーナ）を構成する部位である〔図１（Ａ），（Ｃ）参照〕。該円弧抱持枠部３は、前記水平枠１と同様に、抱持枠部３１と、内周縁３２，３２とを有し、抱持枠部３１，内周縁３２，３２は、（１／４）円弧に形成される。抱持枠部３１は、外周面３１ａと両側面３１ｂ，３１ｂを有している。
【００２９】
円弧抱持枠部３の断面形状は、前記水平枠１の抱持枠部１１と内周縁１２，１２とによって構成される外形と同一であり、断面形状も略同一である〔図２（Ａ），（Ｃ）等参照〕。ただし、内周縁３２，３２は、円弧抱持枠部３の両側面３１ｂ，３１ｂの肉厚と同等となり、両側面３１ｂ，３１ｂの肉部を構成する。外周面３１ａの裏面は円弧形状の内周壁面３１ｃとなっており、前記仕切り板７の円弧状角部７ａと略同一の曲率半径に形成されている〔図１（Ｃ）参照〕。これによって、抱持枠部３１は仕切り板７の円弧状角部７ａを略密着状に抱持することができる。すなわち、円弧抱持枠部３の内周壁面３１ｃの極率半径と、仕切り板７の円弧状角部７ａの曲率半径は略等しく形成され、仕切り板７の円弧状角部７ａは、円弧抱持枠部３によって強固に支持される〔図１（Ｃ）参照〕。
【００３０】
円弧抱持枠部３の円弧状の長手方向両端からは、相互に直角形成された突出部４，４が形成されている〔図１（Ｃ），図２（Ａ），（Ｂ）参照〕。該突出部４，４は、直線状に突出形成されたものであり、前記水平枠１及び垂直枠２のそれぞれの被挿入開口部１３及び２３からその長手方向に沿って挿入されるものである。突出部４の断面形状は断面門形状であり、内周側に嵌込み溝４１が形成されている〔図２（Ａ），（Ｂ），（Ｃ）参照〕。該嵌込み溝４１の溝幅は、仕切り板の板厚と略同一であり、仕切り板７の上辺が挿入する部位である。突出部４の外形は、水平枠１及び垂直枠２のそれぞれの抱持枠部１１と内周縁１２，１２及び抱持枠部２１と内周縁２２，２２によって構成される内周壁面にガタツキがなく収まる大きさとなっている。
【００３１】
突出部４，４には、突出頂面４ａと、突出側面４ｂ，４ｂとから構成されており、突出頂面４ａと両突出側面４ｂ，４ｂとによって囲まれた部位が前記嵌込み溝４１となる〔図図１（Ｃ），（Ｅ），２（Ａ）乃至（Ｃ）参照〕。そして、突出部４が水平枠１の被挿入開口部１３に挿入されたときには、突出頂面４ａが抱持枠部１１の外周面１１ａの裏面側に当接し、両突出側面４ｂ，４ｂが両側面１１ｂ，１１ｂの裏面側に当接する〔図１（Ｃ），（Ｅ）参照〕。
【００３２】
両突出部４，４には、係止部４２が形成され、水平枠１及び垂直枠２のそれぞれに形成された被係止部１４，１４及び２４，２４と係止し、上部ジョイント部材Ａと水平枠１及上部ジョイント部材Ａと垂直枠２との連結を固定する。係止部２４は、前記突出側面４ｂ，４ｂに突起状に形成されたものであり、切欠き凹状に形成された被係止部１４（２４）に嵌込むようして係止される〔図１（Ｃ），（Ｄ），（Ｅ）参照〕。
【００３３】
さらに、上部ジョイント部材Ａ，Ａの突出部４，４及び後述する下部ジョイント部材Ｂ，Ｂの突出部６，６には係止部４２及び係止部６２が形成されず、また水平枠１及び垂直枠２にも被係止部１４及び被係止部２４が形成されない場合がある。この場合には、突出部４，４及び突出部６，６は被挿入開口部１３，１３又は被挿入開口部２３，２３に圧入による手段にて挿入固定されるものであり、突出部４及び突出部６は、それぞれ被挿入開口部１３及び被挿入開口部２３よりも圧入可能なように、僅かに断面形状が大きく形成される。
【００３４】
次に、下部ジョイント部材Ｂは、突出部６，６が相互に直角で、全体として「Ｌ」字形状となるようにして構成される〔図１（Ｂ），（Ｃ），図３参照〕。該突出部６は、上部ジョイント部材Ａの突出部４と同一断面形状を有しており、突出頂面６ａと、突出側面６ｂ，６ｂとから構成されており、突出頂面６ａと両突出側面６ｂ，６ｂとによって囲まれた部位が嵌込み溝６１となる。
【００３５】
また、仕切り板７の４個の角部（コーナー）が全て円弧状角部７ａとした場合には、これに対応する枠体として、枠体を構成する下部ジョイント部材Ｂは、前記上部ジョイント部材Ａと同様に円弧抱持枠部５が形成される。該円弧抱持枠部５が形成された下部ジョイント部材Ｂは、上部ジョイント部材Ａと同一形状となる〔図６（Ｄ）参照〕。すなわち、上部ジョイント部材Ａと下部ジョイント部材Ｂとは、同一品となる。
【００３６】
本発明における枠体を仕切り板７に組み付ける工程について説明する。まず、工程の第１実施形態では、仕切り板７の上側に図示しないガスケット８と共に水平枠１を装着する〔図４（Ａ）参照〕。ガスケット８は、仕切り板７の外周と、枠体との間に介在し、仕切り板７を保護する役目をなす。次に、該水平枠１の長手方向両端の被挿入開口部１３，１３に上部ジョイント部材Ａ，Ａの水平方向の突出部４，４を挿入し、被係止部１４と係止部４２とを係止して、水平枠１と両上部ジョイント部材Ａ，Ａとを連結固定する〔図４（Ｂ）参照〕。
【００３７】
次に、両上部ジョイント部材Ａ，Ａの垂直方向の突出部４，４を垂直枠２，２の上端側の被挿入開口部２３，２３に挿入固定しつつ、垂直枠２，２を仕切り板７の左右両側の縦辺に装着する〔図４（Ｃ）参照〕。そして、下方側の水平枠１の長手方向両端に下部ジョイント部材Ｂ，Ｂを装着した状態で、両下部ジョイント部材Ｂ，Ｂの垂直方向の突出部６，６を前記両垂直枠２，２に挿入固定する〔図４（Ｃ）参照〕。
【００３８】
次に、工程の第２実施形態では、水平枠１の長手方向両端の被挿入開口部１３，１３に上部ジョイント部材Ａ，Ａの突出部４，４を挿入固定した状態で、ガスケットと共に仕切り板７の上辺に装着する〔図５（Ａ）参照〕。次に、垂直枠２，２と下方側の水平枠１とを下部ジョイント部材Ｂ，Ｂにて連結し、そのままの状態で両垂直枠２，２の被挿入開口部２３，２３に上部ジョイント部材Ａ，Ａの垂直方向の突出部４，４を挿入固定する〔図５（Ｂ）参照〕。
【００３９】
仕切り板７は、上辺と左右両辺との角部は円弧状に形成され、下辺と左右両辺との角部は直角に形成されている〔図１（Ａ）参照〕。そして、水平枠１にガスケット８〔図６（Ｃ）参照〕が内装され、両内周縁１２，１２の隙間から仕切り板７の上辺が挿入されることにより、仕切り板７に水平枠１が装着される。さらに、垂直枠２についても、前記水平枠１と同様にガスケット８が内装されて、仕切り板７の左右両辺に装着される。また、上下の水平枠１，１及び左右両側の垂直枠２，２を仕切り板７に装着するときに、上部ジョイント部材Ａの一方（水平方向）の突出部４を上方の水平枠１に挿入しつつ、係止部４２と被係止部１４を係止する〔図１（Ｃ）乃至（Ｅ）参照〕。同様に、上部ジョイント部材Ａの他方（垂直方向）の突出部４を垂直枠２に挿入しつつ、係止部４２と被係止部２４とを係止する〔図１（Ｃ）参照〕。
【００４０】
垂直枠２と下方の水平枠１との連結は、下部ジョイント部材Ｂにて行われる。該下部ジョイント部材Ｂの一方（垂直方向）の突出部６は、垂直枠２の下端側の被挿入開口部２３より挿入して、係止部６２と被係止部２４とを係止し、他方（水平方向）の突出部６は、水平枠１の被挿入開口部１３より挿入して、係止部６２と被係止部１４とを係止する〔図１（Ｃ）参照〕。ここで、下部ジョイント部材Ｂが２個の突出部６，６のみから構成された実施形態（図３参照）のものが使用されるときには、下方側の水平枠１と、両垂直枠２，２には、以下に示すような形状のものが使用される。
【００４１】
まず、下方に位置する水平枠１の両側面１１ｂ，１１ｂの長手方向両端は、外周側から内周側に向かって長手方向の長さが短くなるように４５度に形成された傾斜端縁１１ｃ，１１ｃが形成される。同様に垂直枠２では、外周側から内周側に向かって長手方向の長さが短くなるように両側面２１ｂ，２１ｂの下端側が４５度に形成された傾斜端縁２１ｃ，２１ｃが形成される〔図１（Ｂ），（Ｃ），図２参照〕。
【００４２】
上記のように構成された下方側の水平枠１と、垂直枠２とを使用することで、仕切り板７の下方側の直角角部における水平枠１の傾斜端縁１１ｃと、垂直枠２の傾斜端縁２１ｃとが付き合わさるように当接して下方側の水平枠１と、両垂直枠２，２とのなす角部箇所を正確に直角となるように連結することができ、枠体付き仕切り板を整然とした良好な外観に納めることができる。また、２個の突出部６，６のみからなる下部ジョイント部材Ｂは、下方側の水平枠１と、垂直枠２の下端との連結箇所では、枠体の外部に露出しない構成となる〔図１（Ｃ），図６（Ｂ）参照〕。
【００４３】
上記のようにして構成された本発明の枠体付き仕切り板は、キッチン等の天板１００上に装着された柱状の２本のホルダ９，９に支持される。該ホルダ９には、嵌込み溝９１が形成され、両ホルダ９，９の嵌込み溝９１，９１に枠体付き仕切り板の垂直枠２，２が挿入されて天板上に設置される。また、枠体付き仕切り板の下方側と天板との間には、隙間が構成されるように、下端支持ブロック２００が装着されることもある〔図６（Ａ）乃至（Ｃ）参照〕。
【００４４】
また、特に、本発明の枠体付き仕切り板の枠体において、上部ジョイント部材Ａを円弧抱持枠部３が存在しない突出部４，４のみから構成されるものが使用されることもある。この場合では、上部ジョイント部材Ａと、下部ジョイント部材Ｂとは同一形状となり、これらの上部ジョイント部材Ａと下部ジョイント部材Ｂとを使用した枠体は、４個の角部が全て直角である長方形となる。
【符号の説明】
【００４５】
１…水平枠、１１…抱持枠部、１２…内周縁、１３…被挿入開口部、２…垂直枠、
２２…内周縁、２３…被挿入開口部、１１ｃ，２１ｃ…傾斜端縁、
Ａ…上部ジョイント部材、１４，２４…被係止部、４２，６２…係止部、
３…円弧抱持枠部、４…突出部、Ｂ…下部ジョイント部材、５…円弧抱持枠部、
６…突出部、７…仕切り板。
【図１】
2012125328.tif 000003
【図２】
2012125328.tif 000004
【図３】
2012125328.tif 000005
【図４】
2012125328.tif 000006
【図５】
2012125328.tif 000007
【図６】
2012125328.tif 000008